(57)【要約】  ドリル（１）は先端部が平坦なフラットドリルである。切れ刃（６）は、円弧状部切れ刃（６Ｃ）、シンニング部切れ刃（６Ａ）、外周部切れ刃（６Ｂ）を備える。円弧状部切れ刃（６Ｃ）は円弧状、シンニング部切れ刃（６Ａ）及び外周部切れ刃（６Ｂ）は直線状に形成される。シンニング部切れ刃（６Ａ）にはシンニング部チャンファ面（９Ａ）、外周端側切れ刃（６Ｂ）には外周部チャンファ面（９Ｂ）、円弧状部切れ刃（６Ｃ）には円弧状部チャンファ面（９Ｃ）が設けられる。円弧状部チャンファ面（９Ｃ）のドリル軸方向幅は、シンニング部チャンファ面（９Ａ）及び外周部チャンファ面（９Ｂ）の夫々のドリル軸方向幅よりも小さい。それ故、ドリル（１）は円弧状部切れ刃（６Ｃ）の刃先に鋭利性を残すことができるので、切れ刃（６）の刃先を強化し、且つ被削材に対する喰い付き性能を向上できる。
2019224862.tif 000002
【特許請求の範囲】
【請求項１】
先端部が平坦で、且つ前記先端部に回転中心から径方向外側に向かって延びる少なくとも２以上の切れ刃を有し、当該切れ刃は、円弧状に形成された円弧状部と、当該円弧状部の前記回転中心側の一端に接続し、直線状に形成された内側直線状部と、前記円弧状部の前記一端とは反対側の他端に接続し、直線状に形成された外側直線状部とを備え、前記円弧状部の刃先には、面取りされた円弧状部チャンファ面が設けられ、前記内側直線状部及び前記外側直線状部の夫々の刃先には、面取りされた直線状部チャンファ面が設けられたドリルであって、
前記円弧状部チャンファ面のドリル軸方向幅は、前記直線状部チャンファ面のドリル軸方向幅よりも小さいこと
を特徴とするドリル。
【請求項２】
前記直線状部チャンファ面の前記ドリル軸方向幅は、ドリル径の０．１２〜１．４％の範囲内であって、
前記円弧状部チャンファ面の前記ドリル軸方向幅は、０．００８ｍｍ以下であること
を特徴とする請求項１に記載のドリル。
【請求項３】
前記円弧状部の径方向長さは、前記切れ刃全体の径方向長さの５０〜７０％の範囲内であること
を特徴とする請求項１又は２に記載のドリル。
【請求項４】
前記先端部を有するドリル本体部と、
前記ドリル本体部の外周面において、前記切れ刃から前記ドリル本体部の後端側にかけて、前記ドリル本体部の軸線方向に沿って螺旋状に形成された切屑排出溝と、
前記ドリル本体部の内部を前記後端側から前記先端部に向けて延び、切削油が供給される供給路と、
前記先端部に設けられ、前記供給路と連通し、前記供給路を流れた前記切削油を噴出するオイル穴と
を備えたこと
を特徴とする請求項１から３の何れかに記載のドリル。
【請求項５】
前記先端部が平坦とは、前記先端部の先端角が１６０°〜１８０°の範囲内であること
を特徴とする請求項１から４の何れかに記載のドリル。
【発明の詳細な説明】
【技術分野】
【０００１】
本発明は、ドリルに関する。
【背景技術】
【０００２】
先端角を１７０°〜１８０°とし、被削材への喰い付き時に受ける半径方向の分力を小さくするようにしたドリルが提案されている（例えば、特許文献１参照）。ドリルの切れ刃は、略直線部と切れ刃全体に占める割合を１５〜６０％にした凹形Ｒ部とで構成されている。切れ刃とマージンの接する外周コーナ部には、直線のチャンファが設けられている。
【先行技術文献】
【特許文献】
【０００３】
【特許文献１】特開２００４−１４１９７０号公報
【発明の概要】
【０００４】
特許文献１に記載のドリルは、先端部が平坦なドリルであるので、通常のドリルに比べ、被削材への喰い付き性が悪い。それ故、穴径の拡大が発生し易く、精度の良い穴加工が困難という問題点があった。外周コーナ部には、チャンファが設けられているが、略直線部と凹形Ｒ部にはチャンファが設けられていないので、略直線部と凹形Ｒ部において刃先が欠け易いという問題点もあった。この問題点を解消する為、例えば、外周コーナ部と同様に、略直線部と凹形Ｒ部にもチャンファを設けることが考えられる。しかしながら、外周コーナ部及び略直線部に比べて凹形Ｒ部のような切削負荷のかかり難い部位の鈍化が必要以上になされるので、結果的に切削負荷が大きくなる可能性があった。
【０００５】
本発明の目的は、切れ刃の刃先を強化し、且つ被削材に対する喰い付き性能を向上できるドリルを提供することである。
【０００６】
本発明の態様は、先端部が平坦で、且つ前記先端部に回転中心から径方向外側に向かって延びる少なくとも２以上の切れ刃を有し、当該切れ刃は、円弧状に形成された円弧状部と、当該円弧状部の前記回転中心側の一端に接続し、直線状に形成された内側直線状部と、前記円弧状部の前記一端とは反対側の他端に接続し、直線状に形成された外側直線状部とを備え、前記円弧状部の刃先には、面取りされた円弧状部チャンファ面が設けられ、前記内側直線状部及び前記外側直線状部の夫々の刃先には、面取りされた直線状部チャンファ面が設けられたドリルであって、前記円弧状部チャンファ面のドリル軸方向幅は、前記直線状部チャンファ面のドリル軸方向幅よりも小さいことを特徴とする。
【０００７】
本態様によれば、円弧状部チャンファ面のドリル軸方向幅を、直線状部チャンファ面のドリル軸方向幅よりも小さくしているので、円弧状部の刃先に鋭利性を残しつつ刃先を強化できる。これにより、ドリルは、切れ刃のチッピングを防止しつつ被削材に対する喰い付き性能を高めることができる。喰い付き性能を高めたことで、ドリル加工時にドリルに生じる振動を軽減できる。振動を軽減できることで、加工穴の位置ずれを防止でき、且つ細かい切り屑の形成を促すことができる。
【０００８】
本態様の前記直線状部チャンファ面の前記ドリル軸方向幅は、ドリル径の０．１２〜１．４％の範囲内であって、前記円弧状部チャンファ面の前記ドリル軸方向幅は、０．００８ｍｍ以下であるとよい。これにより、本態様のドリルは被削材に対する喰い付き性能をより高めることができる。
【０００９】
本態様の前記円弧状部の径方向長さは、前記切れ刃全体の径方向長さの５０〜７０％の範囲内であるとよい。これにより、本態様のドリルは、被削材に対する喰い付き性能をより高めることができる。
【００１０】
本態様は、前記先端部を有するドリル本体部と、前記ドリル本体部の外周面において、前記切れ刃から前記ドリル本体部の後端側にかけて、前記ドリル本体部の軸線方向に沿って螺旋状に形成された切屑排出溝と、前記ドリル本体部の内部を前記後端側から前記先端部に向けて延び、切削油が供給される供給路と、前記先端部に設けられ、前記供給路と連通し、前記供給路を流れた前記切削油を噴出するオイル穴とを備えるとよい。本態様のドリルは、オイル穴から噴出する切削油により、被削材と接触する加工点の温度を下げることができる。これにより、被削材をより深く切削できる。また、ドリルは、オイル穴から切削油を噴出することで、切屑排出溝に沿って細かい切り屑を流し易くできる。
【００１１】
本態様において、前記先端部が平坦とは、前記先端部の先端角が１６０°〜１８０°の範囲内であるとよい。本態様のドリルは、先端角が１６０°〜１８０°のフラットドリルであるので、例えば、傾斜面や曲面への座ぐり加工、半割れ穴加工等、多種多様な用途で使用できる。
【図面の簡単な説明】
【００１２】
【図１】ドリル１（２枚刃）の側面図である。
【図２】図１に示すドリル１の先端側の部分拡大図である。
【図３】ドリル１の正面図である。
【図４】図３に示すドリル１の切れ刃６周囲の部分拡大図である。
【図５】図３に示すＩ−Ｉ線矢視方向断面図である。
【図６】試験区１−１（円弧状部割合＝６０％）の結果を示す表である。
【図７】試験区１−２（円弧状部割合＝５０％）の結果を示す表である。
【図８】試験区１−３（円弧状部割合＝７０％）の結果を示す表である。
【図９】試験区１−４（円弧状部割合＝７３％）の結果を示す表である。
【図１０】試験区１−５（円弧状部割合＝４５％）の結果を示す表である。
【図１１】試験区２−１（円弧状部割合＝６０％）の結果を示す表である。
【図１２】試験区２−２（円弧状部割合＝５０％）の結果を示す表である。
【図１３】試験区２−３（円弧状部割合＝７０％）の結果を示す表である。
【図１４】試験区２−４（円弧状部割合＝７３％）の結果を示す表である。
【図１５】試験区２−５（円弧状部割合＝４５％）の結果を示す表である。
【図１６】試験３における穴径の結果を示す表である。
【図１７】試験３における穴拡大代の結果を示す表である。
【図１８】試験４における穴位置ズレ量の結果を示す表である。
【図１９】試験５においてドリルＴ１で被削材を加工した時の切り屑の写真である。
【図２０】試験５においてドリルＴ２で被削材を加工した時の切り屑の写真である。
【図２１】ドリル１００（３枚刃）の側面図である。
【図２２】ドリル１の一部を変形した側面図である。
【発明を実施するための形態】
【００１３】
以下、本発明の実施形態を説明する。以下記載するドリル１の形状は、特定的な記載がない限り、それのみに限定する趣旨ではなく、単なる説明例である。図面は、本発明が採用しうる技術的特徴を説明する為に用いられるものである。以下説明は、図中に矢印で示す前後を使用する。
【００１４】
図１〜図５を参照し、ドリル１の構造を説明する。ドリル１は、先端部が平坦なフラットドリルである。それ故、ドリル１は多種多様な加工用途に対応できる。多種多様な加工用途とは、例えば、座ぐり加工、曲面座ぐり加工、入り組んだ位置への座ぐり加工、穴座ぐり加工、ロングドリルのガイド穴加工、出口傾斜面加工、出口曲面加工、クロス穴加工、曲面貫通加工、薄板貫通加工、偏心穴の矯正、半割れ穴加工、重ね穴加工、止まりタップ下穴加工等である。先端部が平坦であるので、例えば、傾斜面加工における喰い付き時において、ドリル１に加わる半径方向の分力が小さくなる。それ故、ドリル１は、先端部の逃げ、それによる喰い付き時の穴位置精度の低下を抑制できる。ドリル１は２枚刃であり、例えば、超硬合金や高速度工具鋼（ハイス）等の硬質材料で形成するのがよい。
【００１５】
ドリル１は、本体部２とシャンク部８を備える。シャンク部８は円柱棒状に形成される。シャンク部８の後端部は、図示しない工作機械の主軸等に取り付けられて回転駆動される。本体部２は、シャンク部８の先端部に同軸上に固定し、シャンク部８の軸線に沿って前方に延設される。本体部２の前端部は先端部であり、ドリル１の先端部である。図３に示すように、本体部２の先端部には、２枚の切れ刃６が軸線Ｏを挟んで正面視略直線状に形成される。本体部２の外周面には、切り屑を排出する為の二条の排出溝３が螺旋状に形成される。排出溝３の先端の溝面はすくい面４（図２参照）であり、そのすくい面４と先端の逃げ面５が交差した位置の稜線、及び本体部２の先端中心に形成されたシンニング部７の溝面と逃げ面５が交差した位置の稜線によって一枚の切れ刃６が形成される。
【００１６】
本体部２とシャンク部８の内部には、外部から切削液が供給される２本の供給路（図示略）が設けられる。２本の供給路は、シャンク部８の後端側から前記本体部の先端部に向けて、軸線Ｏに沿って螺旋状に延びる。本体部２の先端部に形成された二つの逃げ面５には、円形状のオイル穴１２が夫々設けられる。これら二つのオイル穴１２は、２本の供給路と連通する。
【００１７】
ドリル１は、軸線Ｏを中心に回転することにより、被削材を切れ刃６で切削し、切り屑を排出溝３で排出しながら穴等を形成する。加工時のドリル１の回転方向Ｔは、正面視反時計回り方向である（図３参照）。ドリル１を主軸に取り付けた工作機械は、主軸を右回転して被削材を切削する。主軸回転中、外部から供給される切削液はドリル１の供給路を流れ、本体部２先端部のオイル穴１２から噴出する。切削液は、ドリル１の先端部の加工点を冷却し、切り屑と共に排出溝３を流れて排出される。
【００１８】
切れ刃６の構成を説明する。なお、２枚の切れ刃６の各形状は、軸線Ｏを挟んで互いに点対称であるので、ここでは１枚の切れ刃６の構成を説明する。図３，図４に示すように、切れ刃６は、シンニング部切れ刃６Ａ、外周部切れ刃６Ｂ、円弧状部切れ刃６Ｃを備える。シンニング部切れ刃６Ａは、シンニング部７に沿った部分に直線状に形成され、径方向に沿って延びる。外周部切れ刃６Ｂは、切れ刃６の外端側の部分に直線状に形成され、径方向に沿って延びる。円弧状部切れ刃６Ｃは、シンニング部切れ刃６Ａと外周部切れ刃６Ｂの間に形成され、回転方向Ｔとは反対側に向けて円弧状に凹んで形成される。切れ刃６全域に占める円弧状部切れ刃６Ｃの割合は、５０〜７０％の範囲内に設定するとよい。
【００１９】
切れ刃６はチャンファ面９を更に備える。チャンファ面９は、切れ刃６の刃先を面取りして形成される面である。本実施形態のドリル１は超硬合金であるので、先端部が被削材に当たることによって刃先が欠け易い性質を有する。チャンファ面９は、切れ刃６の刃先を面取りして強化することで、切れ刃６に生じるチッピングを防止する。チャンファ面９は、シンニング部チャンファ面９Ａ、外周部チャンファ面９Ｂ、円弧状部チャンファ面９Ｃを備える。シンニング部チャンファ面９Ａは、シンニング部切れ刃６Ａの刃先におけるすくい面４側の部分に設けられる（図５参照）。外周部チャンファ面９Ｂは、外周部切れ刃６Ｂの刃先におけるすくい面４側の部分に設けられる。円弧状部チャンファ面９Ｃは、円弧状部切れ刃６Ｃの刃先におけるすくい面４側の部分に設けられる。なお、チャンファ面９は、直線状のテーパ面として形成されているが、例えば円弧状のＲ面であってもよい。シンニング部チャンファ面９Ａ、外周部チャンファ面９Ｂ、円弧状部チャンファ面９Ｃの夫々の面形状は、互いに同一でもよく異なっていてもよい。
【００２０】
上記形状を有する本実施形態のドリル１において、先端角θ（図２参照）は１６０°〜１８０°の範囲内に設定するとよい。これにより、例えば傾斜面に穴を空ける傾斜面加工において、喰い付き時にドリル１に加わる半径方向の分力を小さくできる。それ故、先端部の逃げ、それによる喰い付き時の穴位置精度の低下を抑制できる。
【００２１】
また、ドリル１は、切れ刃６を、シンニング部切れ刃６Ａ、外周部切れ刃６Ｂ、円弧状部切れ刃６Ｃで構成し、円弧状部切れ刃６Ｃの両側を、直線状のシンニング部切れ刃６Ａと外周部切れ刃６Ｂで挟む構成とする。これにより、被削材に対して、シンニング部切れ刃６Ａと外周部切れ刃６Ｂが最初に接触し、その時には円弧状部切れ刃６Ｃは接触しないので、切れ刃６が被削材に最初に喰い付く時の切れ刃６にかかる負荷を軽減できる。よって、切れ刃６が被削材に最初に喰い付く時のドリル１の安定性を向上できる。
【００２２】
被削材に対して、シンニング部切れ刃６Ａ及び外周部切れ刃６Ｂが接触して喰い付き、その次に、円弧状部切れ刃６Ｃが接触して喰い付く。これによって被削材が削られるが、円弧状部切れ刃６Ｃにおいて生成される切り屑には幅方向への圧縮力が作用するので、切り屑は折れ易くなる。これにより、加工中に生じる切り屑を短くできるので、排出溝３において切り屑の詰まりや絡み等が生じ難くなる。よって、ドリル１は、排出溝３による切り屑の排出性能を向上できる。
【００２３】
また、切れ刃６全域に占める円弧状部切れ刃６Ｃの割合は、５０〜７０％の範囲内に設定するとよい。なお、「切れ刃６全域」とは、二つの切れ刃６の径方向の長さを足し合わせた全域の長さを意味し、「円弧状部切れ刃６Ｃの割合」とは、切れ刃６全域に占める二つの円弧状部切れ刃６Ｃの径方向の長さを足し合わせた長さの割合を意味する。これにより、ドリル１は、円弧状部切れ刃６Ｃから生成される切り屑に対して幅方向への圧縮力を効果的に作用させることができる。従って、切り屑はより折れ易くなるので、切り屑が伸びることなく、排出溝３による切り屑の排出性能をより向上できる。
【００２４】
また、ドリル１の先端部に設けられた二つのオイル穴１２から切削液が噴出するので、ドリル１の被削材に対する加工点を効果的に冷却できる。これにより、ドリル１は、被削材をより深く切削できる。さらに、加工点に噴出された切削液は、加工中に短く切断された切り屑と共に、排出溝３に沿って流れて排出される。これにより、ドリル１は、排出溝３による切り屑の排出性能を更に向上できる。
【００２５】
また、シンニング部切れ刃６Ａには、シンニング部チャンファ面９Ａが設けられ、外周部切れ刃６Ｂには、外周部チャンファ面９Ｂが設けられる。シンニング部切れ刃６Ａと外周部切れ刃６Ｂは被削材が最初に当たる部位であり、切削負荷が掛かり易い部位である。それ故、シンニング部切れ刃６Ａと外周部切れ刃６Ｂに対して、シンニング部チャンファ面９Ａ及び外周部チャンファ面９Ｂを設けたことで、シンニング部切れ刃６Ａ及び外周部切れ刃６Ｂの刃先のチッピングを効果的に防止できる。また、円弧状部切れ刃６Ｃにも、円弧状部チャンファ面９Ｃが設けられるので、円弧状部切れ刃６Ｃの刃先のチッピングも防止できる。
【００２６】
そして、シンニング部チャンファ面９Ａと外周部チャンファ面９Ｂの夫々のドリル軸方向幅は互いに同一幅である。ドリル軸方向幅とは、ドリル１の軸線方向における距離（長さ）である。そして、シンニング部チャンファ面９Ａ及び外周部チャンファ面９Ｂの夫々のドリル軸方向幅をＬ１（図５参照）、円弧状部チャンファ面９Ｃのドリル軸方向幅をＬ２とした場合、Ｌ１＞Ｌ２である。Ｌ２はＬ１よりも小さいので、ドリル１の先端部において、円弧状部切れ刃６Ｃの刃先を鈍化して強化しつつも、鋭利性を残すことができる。これにより、ドリル１の先端部において、被削材に対する喰い付き性能及び安定性を向上できるので、加工時にドリル１に生じる振動を軽減できる。振動を軽減できるので、加工穴の位置ずれを防止でき、且つ短い切り屑の形成を促すことができる。なお、本実施形態において、少なくともＬ１＞Ｌ２であればよいが、Ｌ１は、ドリル径の０．１２〜１．４％の範囲内であって、Ｌ２は、０．００８ｍｍ以下にするのが好ましい。これにより、ドリル１は被削材に対する喰い付き性能及び安定性をより向上できる
【００２７】
なお、シンニング部チャンファ面９Ａ及び外周部チャンファ面９Ｂは、例えば砥石等による面取り加工で形成するとよい。これに対し、円弧状部チャンファ面９Ｃは、シンニング部チャンファ面９Ａ及び外周部チャンファ面９Ｂよりもドリル軸方向幅が小さいので、砥石等による面取り加工ではなく、例えば、ブラスト処理、ピーニング処理等で形成することで、微小なドリル軸方向幅の円弧状部チャンファ面９Ｃを精度良く形成できる。
【００２８】
次に、ドリル１の形状について規定した上記の数値限定を実証する為、試験１〜５を行った。以下、順に説明する。
【００２９】
図６〜図１０を参照し、試験１について説明する。試験１では、切れ刃６全域に占める円弧状部切れ刃６Ｃの適正な割合と、チャンファ面９におけるドリル軸方向幅Ｌ１とＬ２の夫々の適正範囲について確認した。試験１では、切れ刃６全域に占める円弧状部切れ刃６Ｃの割合を変えた５つの試験区を設定し、試験区毎に、Ｌ１とＬ２を変えて組み合わせた複数のドリルを作成し、それらドリルについて性能試験を行った。切れ刃６全域に占める円弧状部切れ刃６Ｃの割合について、試験区１−１では６０％、試験区１−２では５０％、試験区１−３では７０％、試験区１−４では７３％、試験区１−５では４５％に設定した。ドリルの先端角θは何れも１８０°に設定した。
【００３０】
性能試験では、各ドリルで被削材を実際に加工することで、各ドリルの性能を評価した。評価方法は、穴位置ズレ、切り屑の長さ、工具耐久の３つの評価項目で行い、「○」、「△」、「×」の三段階で夫々評価した。穴位置ズレは、実際に加工した穴の予定位置からのズレ量（距離）である。予定位置は、工作機械の主軸に装着したドリルで被削材を加工する穴の予定位置である。穴の位置は、穴の中心位置である。切り屑の長さは、被削材加工中に発生した切り屑の長さである。工具耐久は、ドリルで連続して加工できる穴の数で評価した。
【００３１】
−試験区１−１−
円弧状部切れ刃６Ｃの割合は６０％である。被削材の加工条件は、ドリル径＝φ３、円弧状部切れ刃６Ｃの半径方向幅＝１．８ｍｍ、被削材＝ＳＵＳ３０４、加工面＝３０°傾斜面、周速＝５０ｍ／ｍｉｎ、送り量＝０．０２３ｍｍ／ｒｅｖ、穴深さ＝９ｍｍである。Ｌ１については、０．００００ｍｍ、０．００３６ｍｍ、０．０２１９ｍｍ、０．０４２０ｍｍ、０．０６００ｍｍの５種類を設定し、Ｌ２については、０．０００ｍｍ、０．００５ｍｍ、０．００８ｍｍ、０．０１０ｍｍの４種類を設定した。そして、これらＬ１とＬ２を相互に組み合わせた２０本のドリルを作成し、夫々について性能試験を行った。
【００３２】
図６を参照し、試験区１−１における性能試験の結果を説明する。試験区１−１では、穴位置ズレが０．０６ｍｍ以内、切り屑は平均して１５ｍｍ未満、工具耐久は１５０穴以上であったものを「○」と評価した。工具耐久が１５０穴未満であったものを「△」と評価した。穴位置ズレが０．０６ｍｍを超え、切り屑が平均して１５ｍｍを超えて伸びてしまっているものを「×」と評価した。図６に示すように、試験区１−１では、Ｌ１が０．００３６ｍｍ〜０．０４２０ｍｍの範囲内で、且つＬ２が０．０００ｍｍ〜０．００８ｍｍの範囲内のドリルは全て「○」であった。Ｌ１が０．００００ｍｍのドリルは全て「△」であった。Ｌ１が０．０６００ｍｍのドリルは全て「×」であった。Ｌ１が０．０３６ｍｍ〜０．０４２０ｍｍで、且つＬ２が０．０１０ｍｍのドリルは全て「×」であった。
【００３３】
以上の結果より、試験区１−１におけるＬ１の適正範囲は、０．００３６ｍｍ〜０．０４２０ｍｍであり、Ｌ２の適正範囲は、０．００８ｍｍ未満であった。Ｌ１の上記適正範囲をドリル径に対する割合に換算すると、適正範囲は０．１２％〜１．４％であった。従って、切れ刃６全域に占める円弧状部切れ刃６Ｃの割合が６０％のドリルにおいて、Ｌ１の適正範囲はドリル径の０．１２％〜１．４％であって、Ｌ２の適正範囲は０．００８ｍｍ未満であることが実証された。
【００３４】
−試験区１−２−
円弧状部切れ刃６Ｃの割合は５０％である。被削材の加工条件は、ドリル径＝φ６、円弧状部切れ刃６Ｃの半径方向幅＝３ｍｍ、被削材＝ＳＵＳ３０４、加工面＝３０°傾斜面、周速＝５０ｍ／ｍｉｎ、送り量＝０．０４５ｍｍ／ｒｅｖ、穴深さ＝１８ｍｍである。Ｌ１については、０．００００ｍｍ、０．００７２ｍｍ、０．０４３８ｍｍ、０．０８４０ｍｍ、０．１２００ｍｍの５種類を設定し、Ｌ２については、０．０００ｍｍ、０．００５ｍｍ、０．００８ｍｍ、０．０１０ｍｍの４種類を設定した。そして、これらＬ１とＬ２を相互に組み合わせた２０本のドリルを作成し、夫々について性能試験を行った。
【００３５】
図７を参照し、試験区１−２における性能試験の結果を説明する。試験区１−２では、穴位置ズレが０．１２ｍｍ以内、切り屑は平均して１５ｍｍ未満、工具耐久は１５０穴以上であったものを「○」と評価した。工具耐久が１５０穴未満であったものを「△」と評価した。穴位置ズレが０．１２ｍｍを超え、切り屑が平均して１５ｍｍを超えて伸びてしまっているものを「×」と評価した。図７に示すように、試験区１−２では、Ｌ１が０．００７２ｍｍ〜０．０８４０ｍｍの範囲内で、且つＬ２が０．０００ｍｍ〜０．００８ｍｍの範囲内のドリルは全て「○」であった。Ｌ１が０．００００ｍｍのドリルは全て「△」であった。Ｌ１が０．１２００ｍｍのドリルは全て「×」であった。Ｌ１が０．０７２ｍｍ〜０．０８４０ｍｍで、且つＬ２が０．０１０ｍｍのドリルは全て「×」であった。
【００３６】
以上の結果より、試験区１−２におけるＬ１の適正範囲は、０．００７２ｍｍ〜０．０８４０ｍｍであり、Ｌ２の適正範囲は、０．００８ｍｍ未満であった。Ｌ１の上記適正範囲をドリル径に対する割合に換算すると、適正範囲は０．１２％〜１．４％であった。従って、切れ刃６全域に占める円弧状部切れ刃６Ｃの割合が５０％のドリルにおいても、Ｌ１の適正範囲はドリル径の０．１２％〜１．４％であって、Ｌ２の適正範囲は０．００８ｍｍ未満であることが実証された。
【００３７】
−試験区１−３−
円弧状部切れ刃６Ｃの割合は７０％である。被削材の加工条件は、ドリル径＝φ１０、円弧状部切れ刃６Ｃの半径方向幅＝７ｍｍ、被削材＝ＳＵＳ３０４、加工面＝３０°傾斜面、周速＝５０ｍ／ｍｉｎ、送り量＝０．０７５ｍｍ／ｒｅｖ、穴深さ＝３０ｍｍである。Ｌ１については、０．００００ｍｍ、０．０１２０ｍｍ、０．０７３０ｍｍ、０．１４００ｍｍ、０．２０００ｍｍの５種類を設定し、Ｌ２については、０．０００ｍｍ、０．００５ｍｍ、０．００８ｍｍ、０．０１０ｍｍの４種類を設定した。そして、これらＬ１とＬ２を相互に組み合わせた２０本のドリルを作成し、夫々について性能試験を行った。
【００３８】
図８を参照し、試験区１−３における性能試験の結果を説明する。試験区１−３では、穴位置ズレが０．２０ｍｍ以内、切り屑は平均して１５ｍｍ未満、工具耐久は１５０穴以上であったものを「○」と評価した。工具耐久が１５０穴未満であったものを「△」と評価した。穴位置ズレが０．２０ｍｍを超え、切り屑が平均して１５ｍｍを超えて伸びてしまっているものを「×」と評価した。図８に示すように、試験区１−３では、Ｌ１が０．０１２０ｍｍ〜０．１４００ｍｍの範囲内で、且つＬ２が０．０００ｍｍ〜０．００８ｍｍの範囲内のドリルは全て「○」であった。Ｌ１が０．００００ｍｍのドリルは全て「△」であった。Ｌ１が０．２０００ｍｍのドリルは全て「×」であった。Ｌ１が０．０１２０ｍｍ〜０．１４００ｍｍで、且つＬ２が０．０１０ｍｍのドリルは全て「×」であった。
【００３９】
以上の結果より、試験区１−３におけるＬ１の適正範囲は、０．０１２０ｍｍ〜０．１４００ｍｍであり、Ｌ２の適正範囲は、０．００８ｍｍ未満であった。Ｌ１の上記適正範囲をドリル径に対する割合に換算すると、適正範囲は０．１２％〜１．４％であった。従って、切れ刃６全域に占める円弧状部切れ刃６Ｃの割合が７０％のドリルにおいても、Ｌ１の適正範囲はドリル径の０．１２％〜１．４％であって、Ｌ２の適正範囲は０．００８ｍｍ未満であることが実証された。
【００４０】
−試験区１−４−
円弧状部切れ刃６Ｃの割合は７３％である。被削材の加工条件は、ドリル径＝φ１６、円弧状部切れ刃６Ｃの半径方向幅＝１１．７ｍｍ、被削材＝ＳＵＳ３０４、加工面＝３０°傾斜面、周速＝５０ｍ／ｍｉｎ、送り量＝０．１２ｍｍ／ｒｅｖ、穴深さ＝４８ｍｍである。Ｌ１については、０．００００ｍｍ、０．０１９２ｍｍ、０．１１６８ｍｍ、０．２２４０ｍｍ、０．３２００ｍｍの５種類を設定し、Ｌ２については、０．０００ｍｍ、０．００５ｍｍ、０．００８ｍｍ、０．０１０ｍｍの４種類を設定した。そして、これらＬ１とＬ２を相互に組み合わせた２０本のドリルを作成し、夫々について性能試験を行った。
【００４１】
図９を参照し、試験区１−４における性能試験の結果を説明する。試験区１−４では、穴位置ズレが０．３２ｍｍ以内、切り屑は平均して１５ｍｍ未満、工具耐久は１５０穴以上であったものを「○」と評価した。工具耐久が１５０穴未満であったものを「△」と評価した。穴位置ズレが０．３２ｍｍを超え、切り屑が平均して１５ｍｍを超えて伸びてしまっているものを「×」と評価した。図９に示すように、試験区１−４では、Ｌ２に関係無く、Ｌ１が０．０００ｍｍのドリルは全て「△」であり、Ｌ１が０．０１９２ｍｍ〜０．３２００ｍｍの範囲内のドリルは全て「×」であった。
【００４２】
以上の結果より、試験区１−４においては、評価が「○」のドリルは無く、Ｌ１、Ｌ２の適正な範囲を求めることができなかった。従って、切れ刃６全域に占める円弧状部切れ刃６Ｃの割合が７３％のドリルにおいては、Ｌ１、Ｌ２に関係無く、ドリルの性能が低下することが実証された。
【００４３】
−試験区１−５−
円弧状部切れ刃６Ｃの割合は４５％である。被削材の加工条件は、ドリル径＝φ２０、円弧状部切れ刃６Ｃの半径方向幅＝９ｍｍ、被削材＝ＳＵＳ３０４、加工面＝３０°傾斜面、周速＝５０ｍ／ｍｉｎ、送り量＝０．０１５ｍｍ／ｒｅｖ、穴深さ＝６０ｍｍである。Ｌ１については、０．００００ｍｍ、０．０２４０ｍｍ、０．１４６０ｍｍ、０．２８００ｍｍ、０．４０００ｍｍの５種類を設定し、Ｌ２については、０．０００ｍｍ、０．００５ｍｍ、０．００８ｍｍ、０．０１０ｍｍの４種類を設定した。そして、これらＬ１とＬ２を相互に組み合わせた２０本のドリルを作成し、夫々について性能試験を行った。
【００４４】
図１０を参照し、試験区１−５における性能試験の結果を説明する。試験区１−５では、穴位置ズレが０．４０ｍｍ以内、切り屑は平均して１５ｍｍ未満、工具耐久は５０穴以上であったものを「○」と評価した。工具耐久が５０穴未満であったものを「△」と評価した。穴位置ズレが０．４０ｍｍを超え、切り屑が平均して１５ｍｍを超えて伸びてしまっているものを「×」と評価した。図１０に示すように、試験区１−５では、Ｌ２に関係無く、Ｌ１が０．０００ｍｍのドリルは全て「△」であり、Ｌ１が０．０２４０ｍｍ〜０．４０００ｍｍの範囲内のドリルは全て「×」であった。
【００４５】
以上の結果より、試験区１−５においても、試験区１−４と同様に、評価が「○」のドリルは無く、Ｌ１、Ｌ２の適正な範囲を求めることができなかった。従って、切れ刃６全域に占める円弧状部切れ刃６Ｃの割合が４５％のドリルにおいても、Ｌ１、Ｌ２に関係無く、ドリルの性能が低下することが実証された。
【００４６】
上記の試験区１−１〜１−５を総合した結果より、切れ刃６全域に占める円弧状部切れ刃６Ｃの割合が５０％〜７０％のドリルにおいて、Ｌ１の適正範囲はドリル径の０．１２％〜１．４％であって、Ｌ２の適正範囲は０．００８ｍｍ未満であることが実証された。
【００４７】
図１１〜図１５を参照し、試験２について説明する。試験２では、先端角θの適正範囲について確認した。試験２でも、試験１と同様に、切れ刃６全域に占める円弧状部切れ刃６Ｃの割合を変えた５種類の試験区を設定した。そして、各試験区において、上記試験１で実証したＬ１とＬ２の適正範囲内でＬ１とＬ２の組み合わせを変えつつ、先端角θを変えた複数のドリルを作成し、それらドリルの性能試験を行った。切れ刃６全域に占める円弧状部切れ刃６Ｃの割合について、試験１と同様に、試験区２−１では６０％、試験区２−２では５０％、試験区２−３では７０％、試験区２−４では７３％、試験区２−５では４５％に設定した。なお、性能試験におけるドリルの評価方法は、試験１と同様である。
【００４８】
−試験区２−１−
円弧状部切れ刃６Ｃの割合は６０％である。被削材の加工条件は、試験区１−１と同じである。Ｌ１については、上記試験１で実証したＬ１の適正範囲内で、０．００３６ｍｍ、０．０２１９ｍｍ、０．０４２０ｍｍの３種類を設定した。Ｌ２についても、上記試験１で実証したＬ２の適正範囲内で、０．０００ｍｍ、０．００５０ｍｍ、０．００８０ｍｍの３種類を設定した。さらに、先端角θについては、１５０°、１６０°、１８０°の３種類を設定した。そして、これらＬ１、Ｌ２、先端角θを相互に組み合わせた２７本のドリルを作成し、夫々について性能試験を行った。
【００４９】
図１１を参照し、試験区２−１における性能試験の結果を説明する。試験区２−１における評価方法は、上記試験区１−１における評価方法と同じである。図１１に示すように、Ｌ１とＬ２が適正範囲内で、且つ先端角θが１６０°と１８０°のドリルは全て「○」であった。Ｌ１とＬ２が適正範囲内であっても、先端角θが１５０°のドリルは全て「×」であった。以上の結果より、試験区２−１における先端角θの適正範囲は、１６０°〜１８０°であることが実証された。
【００５０】
−試験区２−２−
円弧状部切れ刃６Ｃの割合は５０％である。被削材の加工条件は、試験区１−２と同じである。Ｌ１については、上記試験１で実証したＬ１の適正範囲内で、０．００７２ｍｍ、０．０４３８ｍｍ、０．０８４０ｍｍの３種類を設定した。Ｌ２についても、上記試験１で実証したＬ２の適正範囲内で、０．０００ｍｍ、０．００５０ｍｍ、０．００８０ｍｍの３種類を設定した。さらに、先端角θについては、１５０°、１６０°、１８０°の３種類を設定した。そして、これらＬ１、Ｌ２、先端角θを相互に組み合わせた２７本のドリルを作成し、夫々について性能試験を行った。
【００５１】
図１２を参照し、試験区２−２における性能試験の結果を説明する。試験区２−２における評価方法は、上記試験区１−２における評価方法と同じである。図１２に示すように、Ｌ１とＬ２が適正範囲内で、且つ先端角θが１６０°と１８０°のドリルは全て「○」であった。Ｌ１とＬ２が適正範囲内であっても、先端角θが１５０°のドリルは全て「×」であった。以上の結果より、試験区２−２における先端角θの適正範囲も、１６０°〜１８０°であることが実証された。
【００５２】
−試験区２−３−
円弧状部切れ刃６Ｃの割合は７０％である。被削材の加工条件は、試験区１−３と同じである。Ｌ１については、上記試験１で実証したＬ１の適正範囲内で、０．０１２０ｍｍ、０．０７３０ｍｍ、０．１４００ｍｍの３種類を設定した。Ｌ２についても、上記試験１で実証したＬ２の適正範囲内で、０．０００ｍｍ、０．００５０ｍｍ、０．００８０ｍｍの３種類を設定した。さらに、先端角θについては、１５０°、１６０°、１８０°の３種類を設定した。そして、これらＬ１、Ｌ２、先端角θを相互に組み合わせた２７本のドリルを作成し、夫々について性能試験を行った。
【００５３】
図１３を参照し、試験区２−３における性能試験の結果を説明する。試験区２−３における評価方法は、上記試験区１−３における評価方法と同じである。図１３に示すように、Ｌ１とＬ２が適正範囲内で、且つ先端角θが１６０°と１８０°のドリルは全て「○」であった。Ｌ１とＬ２が適正範囲内であっても、先端角θが１５０°のドリルは全て「×」であった。以上の結果より、試験区２−３における先端角θの適正範囲も、１６０°〜１８０°であることが実証された。
【００５４】
−試験区２−４−
円弧状部切れ刃６Ｃの割合は７３％である。被削材の加工条件は、試験区１−４と同じである。Ｌ１については、上記試験１で実証したＬ１の適正範囲内で、０．０１９２ｍｍ、０．１１６８ｍｍ、０．２２４０ｍｍの３種類を設定した。Ｌ２についても、上記試験１で実証したＬ２の適正範囲内で、０．０００ｍｍ、０．００５０ｍｍ、０．００８０ｍｍの３種類を設定した。さらに、先端角θについては、１５０°、１６０°、１８０°の３種類を設定した。そして、これらＬ１、Ｌ２、先端角θを相互に組み合わせた２７本のドリルを作成し、夫々について性能試験を行った。
【００５５】
図１４を参照し、試験区２−４における性能試験の結果を説明する。試験区２−４における評価方法は、上記試験区１−４における評価方法と同じである。図１４に示すように、全てのドリルが「×」であった。以上の結果より、試験区２−４においては、評価が「○」のドリルは無く、先端角θの適正な範囲を求めることができなかった。従って、切れ刃６全域に占める円弧状部切れ刃６Ｃの割合が７３％のドリルにおいては、Ｌ１、Ｌ２、先端角θに関係無く、ドリルの性能が低下することが実証された。
【００５６】
−試験区２−５−
円弧状部切れ刃６Ｃの割合は４５％である。被削材の加工条件は、試験区２−５と同じである。Ｌ１については、上記試験１で実証したＬ１の適正範囲内で、０．０２４０ｍｍ、０．１４６０ｍｍ、０．２８００ｍｍの３種類を設定した。Ｌ２についても、上記試験１で実証したＬ２の適正範囲内で、０．０００ｍｍ、０．００５０ｍｍ、０．００８０ｍｍの３種類を設定した。さらに、先端角θについては、１５０°、１６０°、１８０°の３種類を設定した。そして、これらＬ１、Ｌ２、先端角θを相互に組み合わせた２７本のドリルを作成し、夫々について性能試験を行った。
【００５７】
図１５を参照し、試験区２−５における性能試験の結果を説明する。試験区２−５における評価方法は、上記試験区１−５における評価方法と同じである。図１５に示すように、全てのドリルが「×」であった。以上の結果より、試験区２−５においては、評価が「○」のドリルは無く、先端角θの適正な範囲を求めることができなかった。従って、切れ刃６全域に占める円弧状部切れ刃６Ｃの割合が４５％のドリルにおいては、Ｌ１、Ｌ２、先端角θに関係無く、ドリルの性能が低下することが実証された。
【００５８】
上記の試験区２−１〜２−５を総合した結果より、切れ刃６全域に占める円弧状部切れ刃６Ｃの割合が５０％〜７０％で、且つＬ１とＬ２が適正範囲内であるドリルにおいて、先端角θの適正範囲は１６０°〜１８０°の範囲であることが実証された。
【００５９】
図１６，図１７を参照し、試験３について説明する。試験３では、円弧状部切れ刃６Ｃの円弧状部チャンファ面９Ｃのドリル軸方向幅を規定することによって、穴拡大代がどのように変わるかについて確認した。穴拡大代は、加工した穴径からドリル径を差し引いた差分の距離である。穴径は穴の直径であり、ドリル径はドリルの直径である。加工中にドリルに生じる振動の振幅が大きければ大きい程、穴拡大代は大きくなる。穴径は、穴の位相を変えて任意の２点（ａ点とｂ点）を三点式内側マイクロメータで計測した。ドリル径は、穴径の計測点であるａ点とｂ点に対応する２点（ａ点とｂ点）で夫々計測した。
【００６０】
被削材の加工条件は、被削材＝ＳＵＳ３０４、加工面＝３０°傾斜面、周速Ｖ＝５０（ｍ／ｍｉｎ）、回転数ｎ＝９９５（／ｍｉｎ）、１回転当たりの送り速度ｆ＝０．１２０（ｍｍ／ｒｅｖ）、１分間当たりの送り速度Ｖｆ＝１１９（ｍｍ／ｍｉｎ）である。
【００６１】
試験に用いたドリルは、ドリルＴ１とＴ２である。ドリルＴ１とＴ２は、チャンファ面９を除いては、本実施形態のドリル１の構成と同じである。ドリルＴ１とＴ２の何れにおいても、シンニング部チャンファ面９Ａ及び外周部チャンファ面９Ｂのドリル軸方向幅Ｌ１は０．１１７ｍｍであり、上記適正範囲内である。ドリルＴ１の円弧状部チャンファ面９Ｃのドリル軸方向幅Ｌ２は０．０１２ｍｍであり、上記適正範囲外である。ドリルＴ２の円弧状部チャンファ面９Ｃのドリル軸方向幅Ｌ２は０．００５ｍｍであり、上記適性範囲内である。つまり、ドリルＴ１が比較対象品であり、ドリルＴ２が本発明品である。試験では、ドリルＴ１とＴ２で被削材に３つずつ穴を加工し、夫々の穴径を計測することで、ドリル径に対する穴拡大代を夫々算出した。
【００６２】
穴径の計測結果を説明する。図１６に示すように、ドリルＴ１で加工した３つの穴において、Ｎｏ１の穴は、ａ点で１６．０１５、ｂ点で１５．９９８であった。Ｎｏ２の穴は、ａ点で１５．９８１、ｂ点で１５．９９０であった。Ｎｏ３の穴は、ａ点で１６．００９、ｂ点で１５．９７２であった。これに対し、ドリルＴ２で加工した３つの穴において、Ｎｏ１の穴は、ａ点で１５．９９３、ｂ点で１５．９９２であった。Ｎｏ２の穴は、ａ点で１５．９９１、ｂ点で１５．９９６であった。Ｎｏ３の穴は、ａ点で１５．９９６、ｂ点で１５．９９５であった。
【００６３】
図１７を参照し、穴拡大代の算出結果を説明する。ドリルＴ１のドリル径は、ａ点とｂ点の何れにおいても１５．９７９であった。ドリルＴ２のドリル径は、ａ点とｂ点の何れにおいても１５．９９２であった。穴拡大代は、図１６に示す穴径の計測結果から対応するドリル径を差し引いて算出した。ドリルＴ１で加工した３つの穴において、Ｎｏ１の穴の拡大代は、ａ点で０．０３６、ｂ点で０．０１９、平均値は０．０２８であった。Ｎｏ２の穴の拡大代は、ａ点で０．００２、ｂ点で０．０１１、平均値は０．００７であった。Ｎｏ３の穴の拡大代は、ａ点で０．０３０、ｂ点で−０．００７、平均値は０．０１２であった。
【００６４】
一方、ドリルＴ２で加工した３つの穴において、Ｎｏ１の穴の拡大代は、ａ点で０．００１、ｂ点で０．０００、平均値は０．０００であった。Ｎｏ２の穴の拡大代は、ａ点で−０．００１、ｂ点で０．００４、平均値は０．００１であった。Ｎｏ３の穴の拡大代は、ａ点で０．００４、ｂ点で０．００３、平均値は０．００３であった。
【００６５】
以上の結果より、ドリルＴ２（本発明品）で加工した穴の穴拡大代の方が、ドリルＴ１（比較対象品）で加工した穴の穴拡大代よりも小さくなることが分かった。このことは、ドリルＴ２の先端部において、円弧状部チャンファ面９Ｃのドリル軸方向幅が適正範囲内であることから、円弧状部切れ刃６Ｃが被削材に対して良好に喰い付くことができ、ドリルＴ２に生じる振動を軽減できたからと推測できる。従って、円弧状部チャンファ面９Ｃのドリル軸方向幅を上記適正範囲内にすることで、穴拡大代を小さくできることを実証できた。
【００６６】
図１８を参照し、試験４について説明する。試験４では、ドリルＴ１とドリルＴ２で、穴位置ズレ量がどのように変わるかについて確認した。穴位置ズレ量とは、実際に加工した穴位置の目標の穴位置に対するズレ量である。穴位置は、Ｘ−Ｙ軸平面における穴の中心位置の座標位置である。試験４では、Ｘ軸方向のズレ量と、Ｙ軸方向のズレ量とを計測し、それらの各ベクトルを合成したズレ量を、穴位置ズレ量とした。
【００６７】
被削材の加工条件は、ドリル径＝φ１６、円弧状部切れ刃６Ｃの半径方向幅＝１０．４ｍｍ、被削材＝ＳＵＳ３０４、加工面＝３０°傾斜面、周速＝５０ｍ／ｍｉｎ、送り量＝０．０１２ｍｍ／ｒｅｖ、回転数ｎ＝９９５（／ｍｉｎ）、１分間当たりの送り速度Ｖｆ＝１１９（ｍｍ／ｍｉｎ）、穴深さ＝４８ｍｍである。試験に用いたドリルは、試験３で用いたドリルＴ１とドリルＴ２の２種類を用意した。本試験では、これら２種類の各ドリルで被削材に３つずつ穴を加工し、夫々の穴位置ズレ量を計測した。
【００６８】
穴位置ズレ量の計測結果について説明する。図１８に示すように、ドリルＴ１で加工した３つの穴において、Ｎｏ１の穴のＸ軸方向のズレ量は−０．０２９ｍｍ、Ｙ軸方向のズレ量は０．１２９ｍｍ、よって、穴位置ズレ量は０．１３２ｍｍであった。Ｎｏ２の穴のＸ軸方向のズレ量は−０．０２７ｍｍ、Ｙ軸方向のズレ量は０．１３４ｍｍ、よって、穴位置ズレ量は０．１３７ｍｍであった。Ｎｏ３の穴のＸ軸方向のズレ量は−０．０２７ｍｍ、Ｙ軸方向のズレ量は０．１２４ｍｍ、よって、穴位置ズレ量は０．１２７ｍｍであった。
【００６９】
一方、ドリルＴ２で加工した３つの穴において、Ｎｏ１の穴のＸ軸方向のズレ量は−０．０２３ｍｍ、Ｙ軸方向のズレ量は０．１２２ｍｍ、よって、穴位置ズレ量は０．１２４ｍｍであった。Ｎｏ２の穴のＸ軸方向のズレ量は−０．０３２ｍｍ、Ｙ軸方向のズレ量は０．１１９ｍｍ、よって、穴位置ズレ量は０．１２３ｍｍであった。Ｎｏ３の穴のＸ軸方向のズレ量は−０．００９ｍｍ、Ｙ軸方向のズレ量は０．１１７ｍｍ、よって、穴位置ズレ量は０．１１７ｍｍであった。
【００７０】
以上の結果より、穴位置ズレ量は、ドリルＴ２（本発明品）で加工した方が、ドリルＴ１（比較対象品）で加工するよりも小さくなることが分かった。このことは、ドリルＴ２の先端部において、円弧状部チャンファ面９Ｃのドリル軸方向幅が適正範囲内であることから、円弧状部切れ刃６Ｃが被削材に対して良好に喰い付くことができ、ドリルＴ２に生じる振動を軽減できたからと推測できる。従って、円弧状部チャンファ面９Ｃのドリル軸方向幅を上記適正範囲内にすることで、穴位置ズレ量を小さくできることを実証できた。
【００７１】
図１９，図２０を参照し、試験５について説明する。試験５では、ドリルＴ１とドリルＴ２で、加工中に発生する切り屑の形状がどのように変わるかについて確認した。被削材の加工条件は、ドリル径＝φ１６、円弧状部切れ刃６Ｃの半径方向幅＝１０．４ｍｍ、被削材＝ＳＵＳ３０４、加工面＝３０°傾斜面、周速＝５０ｍ／ｍｉｎ、送り量＝０．０１２ｍｍ／ｒｅｖ、回転数ｎ＝９９５（／ｍｉｎ）、１分間当たりの送り速度Ｖｆ＝１１９（ｍｍ／ｍｉｎ）、穴深さ＝４８ｍｍである。試験に用いたドリルは、試験３、４で用いたドリルＴ１とドリルＴ２の２種類を用意した。本試験では、これら２種類の各ドリルで被削材に穴を加工し、加工中に発生した切り屑の形状を調べた。
【００７２】
切り屑の形状について説明する。図１９に示すように、ドリルＴ１（比較対象品）による加工で発生した切り屑は、長いものと短いものが混在しており、長いものでは２０ｃｍ以上に伸びているものがあった。これに対し、図２０に示すように、ドリルＴ２（本発明品）による加工で発生した切り屑はどれも短く、平均して１５ｍｍ程度であった。以上の結果より、加工中に発生する切り屑の形状は、ドリルＴ２で加工した方が、ドリルＴ１で加工するよりも短くなることが分かった。このことは、ドリルＴ２の先端部において、円弧状部チャンファ面９Ｃのドリル軸方向幅が適正範囲内であることから、円弧状部切れ刃６Ｃが被削材に対して良好に喰い付くことができ、その円弧状部切れ刃６Ｃに沿って切り屑が折れ易くなったからと推測できる。従って、円弧状部チャンファ面９Ｃのドリル軸方向幅を上記適正範囲内にすることで、切り屑の形状を短くできることを実証できた。
【００７３】
以上説明において、シンニング部切れ刃６Ａは本発明の「内側直線状部」の一例である。外周部切れ刃６Ｂは本発明の「外側直線状部」の一例である。円弧状部切れ刃６Ｃは本発明の「円弧状部」の一例である。シンニング部チャンファ面９Ａ及び外周部チャンファ面９Ｂは本発明の「直線状部チャンファ面」の一例である。ドリル１の本体部２は本発明の「ドリル本体部」の一例である。排出溝３は本発明の「切屑排出溝」の一例である。
【００７４】
以上説明したように、本実施形態のドリル１は、先端部が平坦で、且つ先端部に回転中心から径方向外側に向かって延びる２つの切れ刃６を備える。切れ刃６は、円弧状部切れ刃６Ｃ、シンニング部切れ刃６Ａ、外周部切れ刃６Ｂを備える。円弧状部切れ刃６Ｃは、円弧状に形成される。シンニング部切れ刃６Ａは、円弧状部切れ刃６Ｃの回転中心側の一端に接続し、直線状に形成される。外周部切れ刃６Ｂは、円弧状部切れ刃６Ｃの前記一端とは反対側の他端に接続し、直線状に形成される。円弧状部切れ刃６Ｃの刃先には、面取りされた円弧状部チャンファ面９Ｃが設けられる。シンニング部切れ刃６Ａの刃先には、面取りされたシンニング部チャンファ面９Ａが設けられ、外周部切れ刃６Ｂの刃先には、面取りされた外周部チャンファ面９Ｂが設けられる。そして、円弧状部チャンファ面９Ｃのドリル軸方向幅Ｌ２は、シンニング部チャンファ面９Ａ及び外周部チャンファ面９Ｂの夫々のドリル軸方向幅Ｌ１よりも小さい。これにより、ドリル１の先端部において、シンニング部切れ刃６Ａと外周部切れ刃６Ｂの刃先を鈍化して強化しつつ、円弧状部切れ刃６Ｃの刃先に鋭利性を残すことができる。これにより、ドリル１の先端部における被削材に対する喰い付き性能及び安定性を向上できるので、加工時にドリル１に生じる振動を軽減できる。振動を軽減できるので、加工穴の位置ずれを防止でき、且つ短い切り屑の形成を促すことができる。
【００７５】
なお、本発明は上記実施形態に限定されるものではなく、種々の変更が可能である。上記実施形態のドリル１は２枚刃であるが、刃数はこれに限らず、これ以上であってもよい。例えば、図２１に示すドリル１００は３枚刃である。なお、図２１において、上記実施形態のドリル１の先端部の構成と同一部分については、同一符号を付して説明する。ドリル１００は、本体部２の先端部において、３枚の切れ刃６を備える。３枚の切れ刃６は、ドリル１の軸線Ｏを中心に１２０°毎に夫々配置される。切れ刃６は、上記実施形態の２枚刃のドリル１の切れ刃６の構成を備えている。従って、３枚刃のドリル１００においても、上記実施形態と同様の効果を得ることができる。
【００７６】
上記実施形態のドリル１は、例えば、図２２に示すように、排出溝３におけるすくい面４の外周端側に沿って、面取り部１０を設けてもよい。ドリル１は面取り部１０を設けることで、特に傾斜面加工を行った際にすくい面４と外周端の角部に発生するチッピングを防止できる。
【００７７】
上記実施形態のドリル１において、シンニング部チャンファ面９Ａのドリル軸方向幅と、外周部チャンファ面９Ｂのドリル軸方向幅は互いに同一であるが、ドリル径の０．１２〜１．４％の範囲内であれば、互いに異なっていてもよい。シンニング部チャンファ面９Ａ及び外周部チャンファ面９Ｂは、何れも砥石等によって面取り加工を行うが、その他の面取り加工で形成してもよい。シンニング部チャンファ面９Ａと外周部チャンファ面９Ｂで互いに加工方法を変えてもよい。
【００７８】
上記実施形態のドリル１の先端部において、二つのオイル穴１２が設けられているが、一つでもよく、二つ以上であってもよい。また、オイル穴１２を省略してもよい。オイル穴１２の形状は円形でなくてもよい。
【００７９】
上記実施形態のドリル１は、外周面に二条の排出溝３が形成されているが、排出溝３は一条、若しくは三条以上であってもよい。
【図１】
2019224862.tif 000003
【図２】
2019224862.tif 000004
【図３】
2019224862.tif 000005
【図４】
2019224862.tif 000006
【図５】
2019224862.tif 000007
【図６】
2019224862.tif 000008
【図７】
2019224862.tif 000009
【図８】
2019224862.tif 000010
【図９】
2019224862.tif 000011
【図１０】
2019224862.tif 000012
【図１１】
2019224862.tif 000013
【図１２】
2019224862.tif 000014
【図１３】
2019224862.tif 000015
【図１４】
2019224862.tif 000016
【図１５】
2019224862.tif 000017
【図１６】
2019224862.tif 000018
【図１７】
2019224862.tif 000019
【図１８】
2019224862.tif 000020
【図１９】
2019224862.tif 000021
【図２０】
2019224862.tif 000022
【図２１】
2019224862.tif 000023
【図２２】
2019224862.tif 000024
【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
先端部の先端角が１６０°〜１８０°の範囲内で、且つ前記先端部に回転中心から径方向外側に向かって延びる少なくとも２以上の切れ刃を有し、当該切れ刃は、円弧状に形成された円弧状部と、当該円弧状部の前記回転中心側の一端に接続し、直線状に形成された内側直線状部と、前記円弧状部の前記一端とは反対側の他端に接続し、直線状に形成された外側直線状部とを備え、前記円弧状部の刃先には、面取りされた円弧状部チャンファ面が設けられ、前記内側直線状部及び前記外側直線状部の夫々の刃先には、面取りされた直線状部チャンファ面が設けられ、前記先端部を有するドリル本体部の外周面において、前記切れ刃から前記ドリル本体部の後端側にかけて、前記ドリル本体部の軸線方向に沿って螺旋状に形成された切屑排出溝を備えるドリルであって、
前記直線状部チャンファ面は、
前記内側直線状部の刃先に設けた内側直線状部チャンファ面と、
前記外側直線状部の刃先に設けた外側直線状部チャンファ面と
を備え、
前記円弧状部チャンファ面のドリル軸方向幅は、前記内側直線状部チャンファ面及び前記外側直線状部チャンファ面の夫々のドリル軸方向幅よりも小さく、
前記内側直線状部チャンファ面のドリル軸方向幅と、前記内側直線状部チャンファ面のドリル軸方向幅とは互いに同一であること
を特徴とするドリル。
【請求項２】
前記直線状部チャンファ面の前記ドリル軸方向幅は、ドリル径の０．１２〜１．４％の範囲内であって、
前記円弧状部チャンファ面の前記ドリル軸方向幅は、０．００８ｍｍ以下であること
を特徴とする請求項１に記載のドリル。
【請求項３】
前記円弧状部の径方向長さは、前記切れ刃全体の径方向長さの５０〜７０％の範囲内であること
を特徴とする請求項１又は２に記載のドリル。
【請求項４】
前記ドリル本体部の内部を前記後端側から前記先端部に向けて延び、切削油が供給される供給路と、
前記先端部に設けられ、前記供給路と連通し、前記供給路を流れた前記切削油を噴出するオイル穴と
を備えたこと
を特徴とする請求項１から３の何れかに記載のドリル。
【国際調査報告】
2019224862.tif 000025
2019224862.tif 000026
2019224862.tif 000027